(57)【要約】      （修正有）【課題】電磁調理器の表面と結合し、鍋の摺動を低減させるための鍋固定具を提供する。【解決手段】リング体２と第１の係合セット３とを含む。リング体は、リングリブ２１とリングリブの底部から外方へ延在する当接面２２とを有する。リングリブによって収容空間２３が枠組みされ、リングリブの縦方向両側の間に仮想長軸２４が形成され、横方向両側の間に仮想長軸と垂直である仮想短軸２５が形成される。第１の係合セットは、リングリブの仮想長軸の両側に設けられた２つの対向する係止板３１を有し、それらの係止板が当接面に連なる平面部３２と平面部から下方へ延在する折り曲げ部３３とを有する。２つの係止板が電磁調理器の表面周縁に係止されることで、鍋は、収容空間に固定され、摺動がしにくくなる。【選択図】図１
0003192056.tif 000002
【実用新案登録請求の範囲】
【請求項１】
電磁調理器の表面と結合するための鍋固定具であって、
耐熱プラスチック材からなり、リングリブと前記リングリブの底部から外方へ延在する当接面とを有し、前記リングリブによって収容空間が枠組みされ、前記リングリブの縦方向両側の間に仮想長軸が形成され、横方向両側の間に前記仮想長軸と垂直である仮想短軸が形成されるリング体と、
前記リングリブの仮想長軸の両側に設けられた２つの対向する係止板を有し、それらの係止板が前記当接面に連なる平面部と前記平面部から下方へ延在する折り曲げ部とを有し、前記２つの係止板が前記電磁調理器の表面周縁に係止される第１の係合セットと、
を備えることを特徴とする鍋固定具。
【請求項２】
前記リングリブの仮想短軸の両側内縁に少なくとも１つ以上の凸部がそれぞれ設けられていることを特徴とする請求項１に記載の鍋固定具。
【請求項３】
前記凸部は、シリカゲル材からなることを特徴とする請求項２に記載の鍋固定具。
【請求項４】
前記第１の係合セットは、前記リング体から一体に延出していることを特徴とする請求項１に記載の鍋固定具。
【請求項５】
前記リングリブの仮想短軸の両側に設けられた２つの対向する係止板を有し、それらの係止板が前記当接面に連なる平面部と前記平面部から下方へ延在する折り曲げ部とを有する第２の係合セットをさらに備えることを特徴とする請求項１に記載の鍋固定具。
【請求項６】
前記第２の係合セットは、前記リング体から一体に延出していることを特徴とする請求項５に記載の鍋固定具。
【請求項７】
前記第１の係合セットは、前記折り曲げ部の一側に設けられた２つの把持部をさらに備えることを特徴とする請求項１に記載の鍋固定具。
【考案の詳細な説明】
【技術分野】
【０００１】
本考案は、鍋固定具に関し、特に鍋を電磁調理器の表面に効果的に固定させ、鍋の摺動を低減させるための構造に関するものである。
【背景技術】
【０００２】
従来、一般の電磁調理器は、使用上の利便性及び安全性に優れ、使用費用が低く、環境にやさしく衛生的である利点を有するため、広く愛用されている。電磁調理器の原理は、内部に設けられたコイルによって磁場が生成し、その磁場が強磁性を有する鍋底部に誘導させて渦電流を発生させ、該渦電流が鍋内において妨げられ熱エネルギーに変換されることで、金属の鍋が加熱される。
【考案の概要】
【考案が解決しようとする課題】
【０００３】
熱エネルギーが鍋に効果的に伝達され、鍋の清潔が容易になるように、コイルの上に金属鍋の底部に接触するパネルが設けられているのが一般的である。しかしながら、金属の鍋及びパネルは、いずれも平滑の特性を有するため、両者間の摩擦係数が小さく、鍋がパネル上に摺動しやすく、さらには滑り落ちる可能性がある。
【課題を解決するための手段】
【０００４】
そこで、本考案は、電磁調理器の表面と結合するための鍋固定具であって、耐熱プラスチック材からなり、リングリブと該リングリブの底部から外方へ延在する当接面とを有し、該リングリブによって収容空間が枠組みされ、該リングリブの縦方向両側の間に仮想長軸が形成され、横方向両側の間に該仮想長軸と垂直である仮想短軸が形成されるリング体と、該リングリブの仮想長軸の両側に設けられた２つの対向する係止板を有し、それらの係止板が該当接面に連なる平面部と該平面部から下方へ延在する折り曲げ部とを有し、該２つの係止板が該電磁調理器の表面周縁に係止される第１の係合セットと、を備えることを特徴とする鍋固定具を提供する。
【考案の効果】
【０００５】
本考案に係る鍋固定具によれば、電磁調理器の周縁に係合されることで、鍋は、該鍋固定具の収容空間に固定され、摺動がしにくくなり、使用の安全性が向上する。
【図面の簡単な説明】
【０００６】
【図１】本考案に係る立体模式図である。
【図２】図１のＡ−Ａ線に沿った断面図である。
【図３】図１のＢ−Ｂ線に沿った断面図である。
【図４】本考案の使用状態図である。
【図５】本考案に係る使用状態断面図である。
【図５ａ】図５の局所拡大図である。
【図６】本考案の他の使用状態図である。
【考案を実施するための形態】
【０００７】
以下、本考案に係る鍋固定具の好ましい実施例を図面に基づいて説明する。同一の素子には、同一符号を付し説明する。
【０００８】
図１〜３は、本考案に係る鍋固定具１の実施例を示す。鍋固定具１は、主にリング体２と、第１の係合セット３とを含む。リング体２は、耐熱プラスチック材からなり、リングリブ２１と該リングリブ２１の底部から外方へ延在する当接面２２とを有し、リングリブ２１によって収容空間２３が枠組みされている。該リングリブ２１は、略楕円形となっており、縦方向両側の間に仮想長軸２４が形成され、横方向両側の間に仮想長軸２４と垂直である仮想短軸２５が形成されている。
【０００９】
第１の係合セット３は、リングリブ２１の仮想長軸２４の両側に設けられた２つの対向する係止板を有し、それらの係止板３１が当接面２２に連なる平面部３２と、平面部３２から下方へ延在する折り曲げ部３３と、各折り曲げ部３３の一側から垂直に延出する把持部３４とを有する。この実施例において、第１の係合セット３は、リング体２から一体に延出している。さらに、当接面２２は、電磁調理器４の表面４１に平らに密着され、該２つの係止板３１は、電磁調理器４の表面４１の周縁に係合されるようになっている。
【００１０】
図４に示すように、鍋固定具１が電磁調理器４の表面４１に組み付けられると、該２つの係止板３１の平面部３２は、表面４１の周縁に平らに密着され、折り曲げ部３３は、表面４１の側縁４２に沿って係合され、把持部３４の把持により位置の調整が可能となっている。リングリブ２１によって枠組みされる収容空間２３には鍋５が収容されている。鍋５の形状は、円筒形、または図６に示す楕円形であるが、これらに限定されるものではない。リングリブ２１によって鍋５が枠組みされ、リング体２が柔軟かつ伸張可能な特性を有することにより、表面４１に密着され、摺動がしにくくなるため、鍋５は、収容空間２３に限定され、滑り落ちるおそれがなく、使用の安全性が向上する。
【００１１】
図５、５ａに示すように、本考案に係る鍋固定具による鍋５の固定が確実になるように、リングリブ２１の仮想短軸２５の両側内縁に少なくとも１つ以上の凸部２６が設けられている。この実施例において、凸部２６は、シリカゲル材からなり、シリカゲルの摩擦係数が大きいことにより、鍋への固着に効果が発生する。この実施例において、一側に２つの球形の凸部２６が形成されることを例にする。それらの数量及び外観は、なんら限定されず、間隔をおいて複数設けられてもよく、リングリブ２１の内縁に環設されてもよく、若しくは、方形または三角形でもよい。鍋５の直径が仮想短軸２５の両側に近接すると、それらの凸部２６は、鍋５の底部に当接するため、鍋５を固定することが可能となる。
【００１２】
本考案に係る鍋固定具は、リング体２から一体に延出する第２の係合セット６をさらに備える。第２の係合セット６は、リングリブ２１の仮想短軸２５の両側に設けられた、２つの対向する係止板３１を有し、該２つの係止板３１は、当接面２２に連なる平面部３２と、平面部３２から下方へ延在する折り曲げ部３３とを有する。本考案に係る鍋固定具が電磁調理器４の表面４１に固定されると、仮想長軸２４の両側が表面４１に係合されるほか、仮想短軸２５の両側にも固定効果があるため、使用の安全性が向上する。
【００１３】
上記のように、これらの実施の形態は本考案の好ましい実施例のみであり、本考案の特許請求の範囲に基づいてなされる等価の変更や修飾は、本考案の技術範囲に入るものである。
【００１４】
以上のように、本考案では、電磁調理器の表面と結合するための鍋固定具であって、耐熱プラスチック材からなり、リングリブと前記リングリブの底部から外方へ延在する当接面とを有し、前記リングリブによって収容空間が枠組みされ、前記リングリブの縦方向両側の間に仮想長軸が形成され、横方向両側の間に前記仮想長軸と垂直である仮想短軸が形成されるリング体と、前記リングリブの仮想長軸の両側に設けられた２つの対向する係止板を有し、それらの係止板が前記当接面に連なる平面部と前記平面部から下方へ延在する折り曲げ部とを有し、前記２つの係止板が前記電磁調理器の表面周縁に係止される第１の係合セットと、を備えることを特徴とする鍋固定具とするものである。
【００１５】
また、前記リングリブの仮想短軸の両側内縁に少なくとも１つ以上の凸部がそれぞれ設けられているものとする。
【００１６】
また、前記凸部は、シリカゲル材からなるものとする。
【００１７】
また、前記第１の係合セットは、前記リング体から一体に延出しているものとする。
【００１８】
また、前記リングリブの仮想短軸の両側に設けられた２つの対向する係止板を有し、それらの係止板が前記当接面に連なる平面部と前記平面部から下方へ延在する折り曲げ部とを有する第２の係合セットをさらに備えるものとする。
【００１９】
また、前記第２の係合セットは、前記リング体から一体に延出しているものとする。
【００２０】
また、前記第１の係合セットは、前記折り曲げ部の一側に設けられた２つの把持部をさらに備えるものとする。
【産業上の利用可能性】
【００２１】
本考案に係る鍋固定具によれば、電磁調理器の周縁に係合されることで、鍋は、該鍋固定具の収容空間に固定され、摺動がしにくくなり、使用の安全性が向上する。
【符号の説明】
【００２２】
１  鍋固定具
２  リング体
２１  リングリブ
２２  当接面
２３  収容空間
２４  仮想長軸
２５  仮想短軸
２６  凸部
３  第１の係合セット
３１  係止板
３２  平面部
３３  折り曲げ部
３４  把持部
４  電磁調理器
４１  表面
４２  側縁
５  鍋
６  第２の係合セット
【図１】
0003192056.tif 000003
【図２】
0003192056.tif 000004
【図３】
0003192056.tif 000005
【図４】
0003192056.tif 000006
【図５】
0003192056.tif 000007
【図５ａ】
0003192056.tif 000008
【図６】
0003192056.tif 000009